(57)【要約】成形プラスチックの液体注出器は瓶（１０，１９）の頸（１１，２０）に挿入され瓶から液体を注出する飲み口（７，１８）を備えた注ぎ口部分（１，１７）を有している。２つの相補形状の部分通路（４，５）が円筒状の注ぎ口部分（１，１７）を通って長手方向に延びそれぞれが液を放出し空気を瓶（１０，１９）に導入する。細長いハンドル部分（２，２４）が注ぎ口部分（１，１７）から上方に向って後方に延び瓶の上に位置し空気通路（５）が注出通路（４）の上方にあるようにして瓶の保持に平衡を保つようにする。ハンドル部分（２）のリング（６）が瓶（１０）の蓋を保持し、注ぎ口部分（１，１７）が螺着カラー（８）又はばねクリップ（１５）によって瓶の頸（１１，２０）に取付けられる。
2004501839.tif 000002
【特許請求の範囲】
【請求項１】
瓶の頸部に取付ける液体注出器であって、瓶の頸部に連結する後端と後端部と前端部との間に相互に平行に延び瓶の中に開口しまた瓶から開口する２つの細長い通路とを有する注ぎ口部分と、瓶からの注出時に液体を放出する第１の通路と注出中に第１の通路の上方に位置した時瓶に空気を導入する第２の通路と、注ぎ口部分に取付けられ上方に向って後方に延び第２の通路が注出中の第１の通路の上方にある時に瓶の上方に位置する細長いハンドル部分とを具備している液体注出器。
【請求項２】
注ぎ口部分がその後端に瓶の頸の中に入る飲み口を有している請求項１に記載の液体注出器。
【請求項３】
注ぎ口部分がほぼ円筒形状であり、２つの通路が相補形状の部分断面を有しかつ注ぎ口部分の長手方向に相互に平行に延びている請求項１又は２に記載の液体注出器。
【請求項４】
注ぎ口部分とハンドル部分が成形されたプラスチックで形成されている請求項１から３のうちの１項に記載の液体注出器。
【請求項５】
注ぎ口部分とハンドル部分が相互に一体に成形されている請求項４に記載の液体注出器。
【請求項６】
注ぎ口部分を瓶の頸部に螺合により取付ける手段を含んでいる請求項１から５のうちの１項に記載の液体注出器。
【請求項７】
瓶の頸部の下側に弾性で係合する弾性クリップ要素を含んでいる請求項１から５のうちの１項に記載の液体注出器。
【請求項８】
瓶の頸部に取付けられ瓶から液体を注出する請求項１から７のうちの１項に記載の液体注出器。
【発明の詳細な説明】
【０００１】
本発明は液体注出器に関する。
【０００２】
本発明によれば瓶の頸部に取付ける液体注出器は、瓶の頸部に連結するための後端部と注ぎ口部分の後端と前端との間に相互に平行に延び瓶の中に開口しまた瓶から開口する２つの細長い通路とを有する注ぎ口部分と、瓶からの注出中に液体を放出するための第１の通路と注出中に第１の通路の上方に位置した時に瓶に空気を導入するための第２の通路と、注ぎ口部分に取付けられ上方に向って後方に延び第２の通路が上部の注出中に第１の通路の上方にある時瓶の上に位置する細長いハンドル部分とで構成されている。
【０００３】
後端に飲み口を有し瓶の頸部に入り込む注ぎ口部分はほぼ円筒状とすることができ、この場合、２つの通路は相補形状の部分断面とし注ぎ口部分の長手方向に相互に平行に延びるようにすることができる。
【０００４】
本発明の液体注出器は注ぎ口部分を瓶の頸部に螺合で取付ける手段を含むことができる。これに代え、液体注出器は同じ目的で瓶の頸部の一部の下側にスナップ係合するための弾性クリップ（挾持）要素を含むことができる。
【０００５】
本発明の液体注出器の２つの形式が添付図面を参照して一例を挙げることにより以下に記載される。
【０００６】
図１と２を参照すると、第１の液体注出器はプラスチックの成形体であり瓶のねじの切られた頸部に連結するための実質的に円筒形の注ぎ口部分１を有している。注出器を使用中保持し案内するのに用いるハンドル部分２が注ぎ口部分１と一体に成形されまた注ぎ口部分の頭部３から上方に向って後方に延びている。相補形状の部分断面を有する２つの通路４と５は注ぎ口部分１の前方から後方に相互に平行に延びており、通路４は注出中液体を瓶から放出し、一方通路５は空気を導入しこの放出が円滑に行われるようにする。この点に関し、通路５はハンドル部分２により接近して配置されハンドル部分２が注出中に保持された時通路４の上方にあるようにする。
【０００７】
ハンドル部分２は注ぎ口部分１から上方に向って後方に大まかな曲線で延び一体のリング６で終わっている。リング６は押込み嵌合により注出器が取付けられる瓶の蓋を保持するのに用いられる。この点に関し、瓶の蓋が取外されリング６の中に位置すると、注ぎ口部分１が瓶の上に位置する。さらに詳しくは注ぎ口部分１の後方に突出する飲み口７が瓶の頸部の中に入り頭部３の内側ねじの切られたカラー８を瓶の頸部の外側ねじと係合させるようにし、カラー８は注出器の残り部分とは別体に成形され頭部３に固く水密状にスナップ嵌めされる。注出器は次に瓶の頸部に螺合され注出器を図３に示されるように瓶にしっかりと保持するようにする。
【０００８】
注出器を図３に示されるように円筒状の（２リットル）瓶１０に螺合することにより、ハンドル部分２は瓶の頸部１１から外側に向って瓶に沿い下方に円筒状の瓶の壁１２から間隔をおいて延びる。ハンドル部分２の形状は瓶１０を垂直に担持するか注出のために垂直方向から傾斜して担持するかにかかわらず、片手で操作するのに便利である。瓶１０の位置がどのように要求されてもまたその液体の内容物がどのようなものであっても、瓶を手により快適に良好なバランスのもとに容易に保持することのできるハンドル部分２の適当な位置が得られる。
【０００９】
図１から３に示されるように、注ぎ口部分１は例えば散水口又は他の噴霧生成付属具を注出中に用いるために注出器に連結することのできるねじの切られた先端部１３を有している。さらに、注ぎ口部分はリング６（図３）によって保持された瓶蓋１４を取外しまた注出器に螺合させ注出器と瓶１０とに蓋をするとともに注出器と瓶が相互に取付けられた状態に保持されるようにする。
【００１０】
図１から３を参照する上記の注出器はカラー８と瓶の頸部１１との間の螺合による相互の係合により瓶１０に取付けられる。しかし、瓶１０が垂直に保持される時を除いて、その重量の大部分が頸部１１に挿入された飲み口７によって受けられそのため注出器の瓶への取付けは困難ではなくなる。注出器の取付けがクリップ（挾持具）によって行われる注出器の他の形式が図４と５に示されている。
【００１１】
図４と５を参照すると、この場合の液体注出器は注ぎ口部分１７の周縁１６に取付けられたクリップ要素１５とともに一部材として成形されている。注ぎ口部分１７の飲み口１８が瓶１９に挿入された時、周縁１６は瓶の頸部２０の頂端まで下方に動かされクリップ要素１５が頸部２０の外側を下方に延びるようにする。クリップ要素１５はフック端部２１と、それ自体の弾性と周縁１６への取付け時の弾性とを有し、この弾性によりフック端部２１は図５に示されるように周縁１６が頸部２０の頂端に当接するにつれて頸部２０の底縁２２の下側に弾性で係止するようになる。これは周縁１６を頸部２０に堅く保持し注出器を瓶１９にしっかりと水密状に取付けた状態に保持する。注出器の瓶１９への取付けの解放はクリップ要素１５のレバー腕２３を上方に引きフック端部２１を底縁２２から解放することにより行われる。
【００１２】
この場合のハンドル部分２４は瓶１９の蓋を保持する用具なしで示されている。
【００１３】
上記の液体注出器は庭の水撒きに容易に用いることができ、またこの点に関し前もって水又は他のアルコールを含まない飲料が収容された又は廃棄されるプラスチック瓶（通常は透明又は半透明の）と共に経済的に用いることができる。この性質の瓶が容易に利用できるため、これらの瓶は最初に水が充填されそれぞれ注出器が取付けられ水を注出して空にされる。上記の形式の注出器はまたまず第１に瓶に入れられた水又は他のアルコールを含まない飲料を消費するため分配するのに用いられ、また実際にこのような注出器はワインの瓶の頸部に取付けることができワインを分配するのに用いることができる。
【図面の簡単な説明】
【図１】
本発明の２つの液体注出器のうちの第１の注出器の前方から見た斜面図である。
【図２】
図１の液体注出器の一部の拡大切断側面図である。
【図３】
瓶に取付けた図１の液体注出器を示す図である。
【図４】
本発明の第２の液体注出器の切断側面図である。
【図５】
図４の液体注出器を瓶に取付けたところを示す図である。
【国際公開パンフレット】
2004501839.tif 000003
2004501839.tif 000004
2004501839.tif 000005
2004501839.tif 000006
2004501839.tif 000007
2004501839.tif 000008
2004501839.tif 000009
2004501839.tif 000010
2004501839.tif 000011
2004501839.tif 000012
2004501839.tif 000013
2004501839.tif 000014
【国際調査報告】
2004501839.tif 000015
2004501839.tif 000016
2004501839.tif 000017